(57)【要約】本発明は、手首に着用され、手首の正中神経に低周波を伝達するようにして乗り物酔い、つわりまたは薬物などによる悪心と嘔吐を効果的に遮断できるようにする低周波発生機能を有するウェアラブル装置およびそれを用いた健康管理システムに関し、手首に着用される低周波発生機能を有するウェアラブル装置が低周波を発生させるようにし、前記低周波が手首の正中神経に伝達されるようにして、乗り物酔い、つわりまたは薬物などによる悪心と嘔吐を効果的に遮断できるようになる効果がある。【特許請求の範囲】
【請求項１】
手首に備えられ、低周波を発生させる低周波発生部が内蔵される本体；
前記本体の内部に備えられ、前記低周波発生部が低周波を発生させるように制御する着用制御部；
手首の外周縁の一側を包むように前記本体の一側に連結される第１ベルトと、手首の外周縁の他側を包むように前記本体の他側に連結される第２ベルトとを有するベルト部材；
前記第１ベルトと前記第２ベルトを結合させる結合部材；および
前記結合部材の手首と向かい合う位置に備えられ、前記低周波発生部が発生させる低周波を手首に伝達する治療電極部を含んで構成されることを特徴とする、低周波発生機能を有するウェアラブル装置。
【請求項２】
前記結合部材は：
前記第１ベルトに結合され、手首と向かい合う位置に前記治療電極部が備えられる結合ガイド部；
前記結合ガイド部の両側で前記第１ベルトの外周縁に重なるように位置した前記第２ベルトの外周縁の方向に突設される一対の結合突出部；および
一対の前記結合突出部の間にヒンジ結合され、前記第１ベルトの外周縁に重なるように位置した前記第２ベルトの外周縁を加圧するか、または加圧しないように回転する結合バックルを含むことを特徴とする、請求項１に記載の低周波発生機能を有するウェアラブル装置。
【請求項３】
前記ベルト部材は：
前記第１ベルトの内部長手方向に沿って備えられ、前記第１ベルトの内周縁に沿って外部に露出するように位置し、前記低周波発生部と電気的に連結される摺接部をさらに含み、
前記結合部材は：
前記第１ベルトの内周縁に沿って摺動可能に結合される前記結合ガイド部；
前記第１ベルトの外周縁と向かい合うように前記結合ガイド部と前記結合突出部との間に備えられる一対のヒンジ結合部；および
一対の前記ヒンジ結合部の間にヒンジ結合され、前記第１ベルトの外周縁を加圧するか、または加圧しないように回転する固定バックルをさらに含み、
前記治療電極部は、前記結合ガイド部に位置する電極部と、前記電極部から前記結合ガイド部を貫通して前記摺接部の方向に突出する接触部とを含むことを特徴とする、請求項２に記載の低周波発生機能を有するウェアラブル装置。
【請求項４】
前記治療電極部は、一対で構成され、
前記摺接部は、それぞれの前記治療電極部と接触するように一対で構成されることを特徴とする、請求項３に記載の低周波発生機能を有するウェアラブル装置。
【請求項５】
前記治療電極部は、手首の正中神経と向かい合うように位置することを特徴とする、請求項１に記載の低周波発生機能を有するウェアラブル装置。
【請求項６】
手首と対向する前記本体の内側には、使用者の生体情報を測定する測定部が備えられることを特徴とする、請求項１に記載の低周波発生機能を有するウェアラブル装置。
【請求項７】
手首の反対方向に位置する前記本体の外側には、各種のデータを外部に出力する出力部をさらに含み、
前記着用制御部は、前記測定部から測定される生体情報を前記出力部に出力することを特徴とする、請求項６に記載の低周波発生機能を有するウェアラブル装置。
【請求項８】
前記測定部は、手首の脈拍または手首の体温を測定することを特徴とする、請求項６に記載の低周波発生機能を有するウェアラブル装置。
【請求項９】
前記本体の内部には、万歩計が備えられることを特徴とする、請求項１に記載の低周波発生機能を有するウェアラブル装置。
【請求項１０】
請求項６に記載の低周波発生機能を有するウェアラブル装置を用いた健康管理システムにおいて、
前記測定部から前記生体情報の伝達を受ける前記着用制御部と、前記着用制御部から前記生体情報を含む健康情報データの伝達を受けて第１無線通信網を通して外部に出力する第１近距離通信部とを有する前記低周波発生機能を有するウェアラブル装置；
前記第１無線通信網と無線で連結され、前記第１近距離通信部から前記健康情報データの受信を受ける第２近距離通信部と、第２無線通信網を通して前記健康情報データを外部に出力する第１遠距離通信部と、前記第２近距離通信部が受信した前記健康情報データを前記第１遠距離通信部が外部に出力するように制御する第１制御部とを有する第１端末機；および
前記第２無線通信網と無線で連結され、前記第１遠距離通信部から前記健康情報データの受信を受ける第２遠距離通信部と、前記第２遠距離通信部から受信される前記健康情報データを外部に出力する端末機出力部と、前記第２遠距離通信部が受信した前記健康情報データを前記端末機出力部が出力するように制御する第２制御部とを有する第２端末機を含んで構成されることを特徴とする、ウェアラブル装置を用いた健康管理システム。
【請求項１１】
前記第１無線通信網は、ブルートゥースを用いた無線通信網で構成され、前記第２無線通信網は、２Ｇ網、３Ｇ網および４Ｇ網（ＬＴＥ網）の中から選択されるいずれか一つを含む移動通信網で構成されることを特徴とする、請求項１０に記載のウェアラブル装置を用いた健康管理システム。
【請求項１２】
前記着用制御部、前記第１制御部および前記第２制御部の中から選択されるいずれか一つの制御部は、前記生体情報に対する安全範囲を格納しており、前記生体情報が前記安全範囲を外れた場合、警告メッセージを生成し、前記警告メッセージを前記健康情報データに含ませることを特徴とする、請求項１０に記載のウェアラブル装置を用いた健康管理システム。
【請求項１３】
前記端末機出力部は、前記警告メッセージを音で出力するスピーカーまたは前記警告メッセージを振動で出力する振動部または前記警告メッセージを映像で出力するディスプレイ部を含むことを特徴とする、請求項１２に記載のウェアラブル装置を用いた健康管理システム。
【発明の詳細な説明】
【技術分野】
【０００１】
本発明は、低周波発生機能を有するウェアラブル装置およびそれを用いた健康管理システムに関し、さらに詳細には、手首の正中神経に低周波を伝達するようにして乗り物酔い、つわりまたは薬物などによる悪心と嘔吐を効果的に遮断できるようにする低周波発生機能を有するウェアラブル装置およびそれを用いた健康管理システムに関する。
【背景技術】
【０００２】
一般的に、妊婦が経験するつわりは、主に妊娠初期に現れ、その原因は、胎盤から分泌されるホルモン（ＨＣＧ）の増加または妊娠による精神的な不安感やストレスであると知られている。通常、嘔吐、むかつき、吐き気、食欲不振、食べ物の嗜好変化などの症候群で現れるが、正常な場合、５ヶ月以内にほとんど症状がなくなる。
妊婦のつわり経験に関する調査によれば、妊婦の年齢、初産または経産、職業の有無、学歴水準、収入程度、住居地域によってつわり経験や軽減が異なり、経験する症状も妊娠によるストレスや家族構成、出生児の性別によって異に現れた。
このようなつわりにより、妊婦は、臭いに敏感になって特定の食べ物に対する選好度が落ちたり食欲がなくなったりし、その結果、食べ物摂取が不規則になって体重が減少することもある。また、嘔吐が激しくなると、身体中の水分やミネラルを失うこととなり、時折、脱水状態になる場合もある。これは、妊娠恐怖症またはその他の精神的な葛藤と共に胎児の発育と栄養状態に悪い影響を与え得るので、つわりの症状が激しい時は、必ず臨床的、栄養的管理をしなければならない。
つわり症状緩和のための解決方案を検討すると、主に漢方薬や西洋薬、または静脈注射を利用しており、ビタミンＢ６を投与して嘔吐とむかつきが激しい妊婦の症状を緩和することもある。しかし、このような補充剤を含む薬の乱用は、飲酒や喫煙と同様に胎児に好ましくない結果を招くこともあり、薬の処方は、医師の指導下に制限的に使用されなければならない。
また、つわりを治療するための装置ではないが、大韓民国公開特許公報第２００１−００３２５１７号を参照すると、低周波電流を生体に印加して嘔吐やむかつきなどを治療するようにする治療装置が公知になっている。このような従来の治療装置は、一つの機器形態であって、低周波を発振させるための発振器と、発振器と連結され、発振器から発振される低周波を身体に伝達する治療電極とを含む。しかし、このような従来の治療装置は、発振器と治療電極がそれぞれ個別的に備えられ、そのサイズが大きく、病院などの指定された場所に設けられることが一般的である。
ところが、妊婦が嘔吐やむかつきなどのつわり症状が現れる度に迅速に病院に行って従来の治療装置を利用することは現実的に不可能であり、従来の治療装置を利用してつわりを治療するには困難性がある。従って、発振器と治療電極を一体型にして携帯を可能とし、使用を便利にする治療装置の開発が急がれる実情である。
一方、近年、携帯が可能なウェアラブル機器が大企業を中心に競争的に発売されている。このようなウェアラブル機器は、ほとんど使用者の運動量を測定して一日間消耗したカロリーを見せたり、使用者の脈拍を測定して運動ガイドを提供したりしている。また、このようなウェアラブル機器は、脈拍、体温などの生体信号を測定し、これを分析して、健康異常有無を使用者に報知する機能を提供したりもする。
しかし、このようなウェアラブル機器は、単に脈拍、体温などの生体信号を測定し、これを外部に報知する機能のみあるだけで、嘔吐やむかつきなどのつわり症状を緩和させるようにする別途の機能がなく、このような携帯が便利なウェアラブル機器に嘔吐やむかつきなどのつわり症状を緩和するための機能を加えるようにする要請が持続的にあった。
【発明の概要】
【発明が解決しようとする課題】
【０００３】
前記のような従来の技術の問題点を解決するための本発明の目的は、携帯が便利なウェアラブル装置が手首の正中神経に低周波を伝達するようにして乗り物酔い、つわりまたは薬物などによる悪心と嘔吐を効果的に遮断できるようにする低周波発生機能を有するウェアラブル装置およびそれを用いた健康管理システムを提供するようにすることにある。
また、本発明の他の目的は、使用者の生体信号を測定し、それを使用者または保護者が持続的にモニタリングできるようにして、使用者が危険な状態に置かれた場合、それを外部に迅速に報知できるようにする低周波発生機能を有するウェアラブル装置およびそれを用いた健康管理システムを提供するようにすることにある。
【課題を解決するための手段】
【０００４】
前記目的を達成するために、本発明は、手首に備えられ、低周波を発生させる低周波発生部が内蔵される本体；前記本体の内部に備えられ、前記低周波発生部が低周波を発生させるように制御する着用制御部；手首の外周縁の一側を包むように前記本体の一側に連結される第１ベルトと、手首の外周縁の他側を包むように前記本体の他側に連結される第２ベルトとを有するベルト部材；前記第１ベルトと前記第２ベルトを結合させる結合部材；および前記結合部材の手首と向かい合う位置に備えられ、前記低周波発生部が発生させる低周波を手首に伝達する治療電極部を含んで構成されることを特徴とする低周波発生機能を有するウェアラブル装置を提供する。
また、前記結合部材は：前記第１ベルトに結合され、手首と向かい合う位置に前記治療電極部が備えられる結合ガイド部；前記結合ガイド部の両側で前記第１ベルトの外周縁に重なるように位置した前記第２ベルトの外周縁の方向に突設される一対の結合突出部；および一対の前記結合突出部の間にヒンジ結合され、前記第１ベルトの外周縁に重なるように位置した前記第２ベルトの外周縁を加圧するか、または加圧しないように回転する結合バックルを含むことを特徴とする低周波発生機能を有するウェアラブル装置を提供する。
また、前記ベルト部材は：前記第１ベルトの内部長手方向に沿って備えられ、前記第１ベルトの内周縁に沿って外部に露出するように位置し、前記低周波発生部と電気的に連結される摺接部をさらに含み、前記結合部材は：前記第１ベルトの内周縁に沿って摺動可能に結合される前記結合ガイド部；前記第１ベルトの外周縁と向かい合うように前記結合ガイド部と前記結合突出部との間に備えられる一対のヒンジ結合部；および一対の前記ヒンジ結合部の間にヒンジ結合され、前記第１ベルトの外周縁を加圧するか、または加圧しないように回転する固定バックルをさらに含み、前記治療電極部は、前記結合ガイド部に位置する電極部と、前記電極部から前記結合ガイド部を貫通して前記摺接部の方向に突出する接触部とを含むことを特徴とする低周波発生機能を有するウェアラブル装置を提供する。
また、前記治療電極部は、一対で構成され、前記摺接部は、それぞれの前記治療電極部と接触するように一対で構成されることを特徴とする低周波発生機能を有するウェアラブル装置を提供する。
また、前記治療電極部は、手首の正中神経と向かい合うように位置することを特徴とする低周波発生機能を有するウェアラブル装置を提供する。
また、手首と対向する前記本体の内側には、使用者の生体情報を測定する測定部が備えられることを特徴とする低周波発生機能を有するウェアラブル装置を提供する。
また、手首の反対方向に位置する前記本体の外側には、各種のデータを外部に出力する出力部をさらに含み、前記着用制御部は、前記測定部から測定される生体情報を前記出力部に出力することを特徴とする低周波発生機能を有するウェアラブル装置を提供する。
また、前記測定部は、手首の脈拍または手首の体温を測定することを特徴とする低周波発生機能を有するウェアラブル装置を提供する。
また、前記本体の内部には、万歩計が備えられることを特徴とする低周波発生機能を有するウェアラブル装置を提供する。
また、本発明は、低周波発生機能を有するウェアラブル装置を用いた健康管理システムにおいて、前記測定部から前記生体情報の伝達を受ける前記着用制御部と、前記着用制御部から前記生体情報を含む健康情報データの伝達を受けて第１無線通信網を通して外部に出力する第１近距離通信部とを有する前記低周波発生機能を有するウェアラブル装置；前記第１無線通信網と無線で連結され、前記第１近距離通信部から前記健康情報データの受信を受ける第２近距離通信部と、第２無線通信網を通して前記健康情報データを外部に出力する第１遠距離通信部と、前記第２近距離通信部が受信した前記健康情報データを前記第１遠距離通信部が外部に出力するように制御する第１制御部とを有する第１端末機；および前記第２無線通信網と無線で連結され、前記第１遠距離通信部から前記健康情報データの受信を受ける第２遠距離通信部と、前記第２遠距離通信部から受信される前記健康情報データを外部に出力する端末機出力部と、前記第２遠距離通信部が受信した前記健康情報データを前記端末機出力部が出力するように制御する第２制御部とを有する第２端末機を含んで構成されることを特徴とするウェアラブル装置を用いた健康管理システムを提供する。
また、前記第１無線通信網は、ブルートゥースを用いた無線通信網で構成され、前記第２無線通信網は、２Ｇ網、３Ｇ網および４Ｇ網（ＬＴＥ網）の中から選択されるいずれか一つを含む移動通信網で構成されることを特徴とするウェアラブル装置を用いた健康管理システムを提供する。
また、前記着用制御部、前記第１制御部および前記第２制御部の中から選択されるいずれか一つの制御部は、前記生体情報に対する安全範囲を格納しており、前記生体情報が前記安全範囲を外れた場合、警告メッセージを生成し、前記警告メッセージを前記健康情報データに含ませることを特徴とするウェアラブル装置を用いた健康管理システムを提供する。
また、前記端末機出力部は、前記警告メッセージを音で出力するスピーカーまたは前記警告メッセージを振動で出力する振動部または前記警告メッセージを映像で出力するディスプレイ部を含むことを特徴とするウェアラブル装置を用いた健康管理システムを提供する。
【発明の効果】
【０００５】
本発明は、低周波発生機能を有するウェアラブル装置に備えられる低周波発生部で発生させる低周波を手首の正中神経に容易に伝達でき、乗り物酔い、つわりまたは薬物などによる悪心と嘔吐を効果的に遮断できるようになる効果がある。
また、低周波発生機能を有するウェアラブル装置の結合部材が第１ベルトに沿って摺動するので、結合部材を手首の正中神経と向かい合うように位置させることができ、これによって、結合部材に備えられる治療電極部が手首の正中神経に低周波を容易に伝達できるようになる効果がある。また、手首の正中神経と向かい合うように位置した結合部材は、固定バックルが第１ベルトを加圧するように回転することで第１ベルトに固定されるように構成され、これによって、結合部材が手首の正中神経と向かい合うように位置した状態で強固に固定される効果がある。
また、本発明は、低周波発生機能を有するウェアラブル装置を通して低周波を手首の正中神経に伝達する機能はもちろん、使用者の生体信号を測定し、それを使用者または保護者に報知できるように構成されるので、使用者の健康状態を使用者または保護者が持続的にモニタリングできるようになり、使用者が危険な状態に置かれた場合、それを外部に迅速に報知できるようになる効果がある。
【図面の簡単な説明】
【０００６】
【図１】本発明の好ましい実施例に係る低周波発生機能を有するウェアラブル装置を概略的に示した図である。
【図２】本発明の好ましい実施例に係る低周波発生機能を有するウェアラブル装置のベルト部材の摺接部に第１ベルトが結合される状態を概略的に示した図である。
【図３】本発明の好ましい実施例に係る低周波発生機能を有するウェアラブル装置のベルト部材の第１ベルトに結合部材の結合ガイド部が摺動可能に結合される状態を概略的に示した図である。
【図４】本発明の好ましい実施例に係る低周波発生機能を有するウェアラブル装置の治療電極部が結合部材に結合された状態を説明するために示した図である。
【図５】本発明の好ましい実施例に係る低周波発生機能を有するウェアラブル装置の第１ベルトに結合部材が固定された状態を概略的に示した図である。
【図６】本発明の好ましい実施例に係る低周波発生機能を有するウェアラブル装置の第１ベルトに結合部材が固定された状態を断面で示した図である。
【図７】本発明の好ましい実施例に係る低周波発生機能を有するウェアラブル装置の第２ベルトが第１ベルトに重なるように位置した状態を概略的に示した図である。
【図８】本発明の好ましい実施例に係る低周波発生機能を有するウェアラブル装置の結合バックルが第２ベルトを固定させた状態を断面で示した図である。
【図９】本発明の好ましい実施例に係る低周波発生機能を有するウェアラブル装置を用いた健康管理システムを概略的に示した図である。
【図１０】図９の低周波発生機能を有するウェアラブル装置を概略的に示したブロック図である。
【図１１】図９の低周波発生機能を有するウェアラブル装置に備えられる表示部を概略的に示した図である。
【図１２】本発明の好ましい実施例に係る低周波発生機能を有するウェアラブル装置を用いた健康管理システムの第１端末機を概略的に示したブロック図である。
【図１３】本発明の好ましい実施例に係る低周波発生機能を有するウェアラブル装置を用いた健康管理システムの第２端末機を概略的に示したブロック図である。
【図１４】本発明の好ましい実施例に係る低周波発生機能を有するウェアラブル装置を用いた健康管理システムを説明するために概略的に示したフローチャートである。
【発明を実施するための形態】
【０００７】
以下、添付の図面を参照して、本発明の好ましい実施例に係る低周波発生機能を有するウェアラブル装置をさらに詳細に説明する。
図１は、本発明の好ましい実施例に係る低周波発生機能を有するウェアラブル装置を概略的に示した図である。
図１を参照すると、本発明の好ましい実施例に係る低周波発生機能を有するウェアラブル装置１００は、全般的に手首に着用する時計のような形状に形成されており、本体１１０、測定部１２２（図２に示す）、低周波発生部１２１（図１０に示す）、ベルト部材１３０、結合部材１４０および治療電極部１５０を含む。
本体１１０は、使用者の手首に位置するものであり、腕時計と類似した形状に形成される。そして、手首と接触する本体１１０の内側には、測定部１２２が備えられ、手首と接触しない本体１１０の外側には、出力部１２５が備えられる。出力部１２５は、例えば、映像を表示するための液晶ディスプレイ（ｌｉｑｕｉｄ  ｃｒｙｓｔａｌ  ｄｉｓｐｌａｙ、ＬＣＤ）などで構成され、下記図１１を参照して詳細に説明する。
測定部１２２は、本体１１０の内側に備えられ、血圧、脈拍、体温などの使用者の生体情報を測定するものであり、例えば、使用者の脈拍を測定するための脈拍測定部１２２ａと、使用者の体温を測定するための体温測定部１２２ｂとを含む。脈拍測定部１２２ａは、光を利用して脈波信号を検出する光学式、圧力を利用して脈波信号を測定する圧電式などがあり、光学式の場合、本体１１０の内側に取り付けられ、使用者の人体に光を照射して使用者の脈拍を測定する。体温測定部１２２ｂは、例えば、赤外線センサで構成されるものであり、使用者から発散される赤外線を感知し、これによる電気的パルス信号を生成して使用者の体温を測定する。上述した低周波発生部１２１、脈拍測定部１２２ａおよび体温測定部１２２ｂは公知のものであるので、これについてのさらに詳細な説明は省略する。そして、測定部１２２が測定する生体情報は、外部に伝達されて使用者の健康状態を管理できるように構成されるが、これは、下記図９乃至図１４を参照して説明する。
低周波発生部１２１は、本体１１０の内部に備えられるものであり、発振コイルなどを利用して一定範囲の周波数の電磁波パルスを発振する。このような低周波発生部１２１は、略２８Ｈｚ〜３３Ｈｚの低周波パルスを発生させ、このように発生した低周波パルスは、後述の治療電極部１５０に伝達される。
ベルト部材１３０は、本体１１０が手首に位置するように固定させる時計バンドと類似したものであり、手首の形態によって容易に曲がるようにフレキシブルな材質に形成され得る。このようなベルト部材１３０は、手首の外周縁の一側を包むように本体１１０の一側に連結される第１ベルト１３２と、手首の外周縁の他側を包むように本体１１０の他側に連結される第２ベルト１３６とを含む。
結合部材１４０は、ベルト部材１３０の第１ベルト１３２と第２ベルト１３６を相互結合させるものであり、例えば、手首の正中神経に位置するように第１ベルト１３２に結合された状態で第２ベルト１３６を結合させる。
治療電極部１５０は、手首の正中神経と向かい合う結合部材１４０の内側に備えられるものであり、第１電極部１５２と第２電極部１５４とを含む。第１、第２電極部１５２、１５４は、手首の正中神経と接触しており、後述の摺接部１３４（図２に示す）を通して低周波発生部１２１と電気的に連結されている。これによって、治療電極部１５０は、低周波発生部１２１が発生させる低周波の伝達を受け、これをまた手首の正中神経に伝達する。そして、手首の正中神経に伝達された低周波は、正中神経を刺激するようになり、次いで正中神経に沿って中枢神経系に伝達される。すると、中枢神経系では、悪心と嘔吐の信号を遮断し、非正常的な胃腸運動をまた正常に作動するように刺激を送る。
一方、治療電極部１５０は、手首の正中神経と接触しなければならないので、治療電極部１５０が結合される結合部材１４０もまた、手首の正中神経と向かい合うように位置しなければならない。ところが、手首の大きさは人によって異なるので、結合部材１４０が第１ベルト１３２に沿って摺動可能に位置しなければならず、第１ベルト１３２に沿って摺動する結合部材１４０が手首の正中神経に位置すれば、結合部材１４０がそれ以上摺動しないように結合部材１４０を第１ベルト１３２に固定させる。これは、下記図５を参照して詳細に説明する。
図２は、本発明の好ましい実施例に係る低周波発生機能を有するウェアラブル装置のベルト部材の摺接部に第１ベルトが結合される状態を概略的に示した図であり、図３は、本発明の好ましい実施例に係る低周波発生機能を有するウェアラブル装置のベルト部材の第１ベルトに結合部材の結合ガイド部が摺動可能に結合される状態を概略的に示した図である。
図２および図３を参照すると、ベルト部材１３０は、第１ベルト１３２と第２ベルト１３６の他に摺接部１３４をさらに含む。摺接部１３４は、第１ベルト１３２の内部長手方向に沿って長く形成されるものであり、一対で構成され、第１摺動部１３４ａと第２摺動部１３４ｂとを含む。第１、第２摺動部１３４ａ、１３４ｂは、導電性材質に構成され、その長手方向の一側は、本体１１０の内部の低周波発生部１２１と電気的に連結されており、その長手方向の他側は、手首の正中神経方向に長く形成されている。そして、第１、第２摺動部１３４ａ、１３４ｂが第１ベルト１３２に挿入され、第１ベルト１３２が第１、第２摺動部１３４ａ、１３４ｂを包むように結合されるとき、第１ベルト１３２の内周縁には、第１、第２摺動部１３４ａ、１３４ｂが外部に露出するように第１、第２開放部１３２ａ、１３２ｂが形成される。
結合部材１４０は、結合ガイド部１４２、結合突出部１４４、結合バックル１４６、ヒンジ結合部１４５および固定バックル１４８を含む。結合ガイド部１４２は、第１ベルト１３２の内周縁に沿って摺動可能に位置し、手首と向かい合う結合ガイド部１４２の内側に治療電極部１５０が備えられる。そして、結合ガイド部１４２が第１ベルト１３２の内周縁に沿って摺動するとき、第１ベルト１３２の両側をガイドするように結合ガイド部１４２の両側に沿って一対の支持ガイド部１４３が突設され得る。そして、固定バックル１４８が第１ベルト１３２の外周縁を加圧して、第１ベルト１３２の内周縁に沿って摺動する結合ガイド部１４２が手首の正中神経と向かい合うように固定させ、結合バックル１４６が第２ベルト１３６の外周縁を加圧して第２ベルト１３６が結合ガイド部１４２に固定されるようにする。
即ち、本発明は、第２ベルト１３６が第１ベルト１３２に固定されるようにする結合バックル１４６の他に、第１ベルト１３２の内周縁に沿って摺動する結合ガイド部１４２が第１ベルト１３２に固定されるようにするために固定バックル１４８を別に備える。結合突出部１４４、結合バックル１４６、ヒンジ結合部１４５および固定バックル１４８は、下記図５乃至図８を参照して詳細に説明する。
図４は、本発明の好ましい実施例に係る低周波発生機能を有するウェアラブル装置の治療電極部が結合部材に結合された状態を説明するために示した図である。
図４を参照すると、治療電極部１５０は、第１電極部１５２と第２電極部１５４とを含む。第１電極部１５２と第２電極部１５４は、結合ガイド部１４２の内側に相互並んで結合される。第１電極部１５２は、結合ガイド部１４２の内側に備えられる第１電極１５２ａと、第１電極１５２ａから結合ガイド部１４２を貫通して摺接部１３４の第１摺動部１３４ａと電気的に接触する第１接触部１５２ｂとを含む。第２電極部１５４は、結合ガイド部１４２の内側に第１電極１５２ａと並んで備えられる第２電極１５４ａと、第２電極１５４ａから結合ガイド部１４２を貫通して摺接部１３４の第２摺動部１３４ｂと電気的に接触する第２接触部１５４ｂとを含む。
第１電極１５２ａと第２電極１５４ａは、手首の正中神経に接触するものであり、手首に沿って凹に形成され、導電性を高め、人体との抵抗性を下げるように金等でめっき処理され得る。第１接触部１５２ｂと第２接触部１５４ｂは、第１摺動部１３４ａと第２摺動部１３４ｂに沿って摺動移動されるように構成され、結合ガイド部１４２が手首の正中神経に位置するように第１ベルト１３２の内周縁に沿って摺動するとき、第１接触部１５２ｂと第２接触部１５４ｂもまた第１摺動部１３４ａと第２摺動部１３４ｂに沿って摺動するように構成され、第１電極１５２ａと第２電極１５４ａが手首の正中神経に容易に位置する効果がある。そして、第１摺動部１３４ａと第２摺動部１３４ｂは、本体１１０の内部の低周波発生部１２１と連結されているので、低周波発生部１２１が発生させる低周波を第１電極部１５２と第２電極部１５４に伝達させ、第１電極部１５２と第２電極部１５４は、これをまた手首の正中神経に伝達する。そして、手首の正中神経に伝達された低周波は、正中神経を刺激するようになり、次いで正中神経に沿って中枢神経系に伝達される。すると、中枢神経系では、悪心と嘔吐の信号を遮断し、非正常的な胃腸運動をまた正常に作動するように刺激を送る。
このように、本発明は、本体１１０の内部の低周波発生部１２１で発生させる低周波を手首の正中神経に容易に伝達することができ、抗がん剤治療および薬物治療の副作用で現れる悪心と嘔吐を効果的に遮断できるようになる効果がある。また、本発明は、乗り物酔い、つわりまたはその他による悪心と嘔吐を効果的に遮断できるようになる効果がある。
図５は、本発明の好ましい実施例に係る低周波発生機能を有するウェアラブル装置の第１ベルトに結合部材が固定された状態を概略的に示した図であり、図６は、本発明の好ましい実施例に係る低周波発生機能を有するウェアラブル装置の第１ベルトに結合部材が固定された状態を断面で示した図である。
図５および図６を参照すると、結合部材１４０は、結合ガイド部１４２、結合突出部１４４、結合バックル１４６、ヒンジ結合部１４５および固定バックル１４８を含む。
結合ガイド部１４２は、第１ベルト１３２の内周縁に沿って摺動可能に位置する。そして、結合ガイド部１４２の両側に沿って支持ガイド部１４３が突設される。
結合突出部１４４は、一対で構成されるものであり、第２ベルト１３６が第１ベルト１３２の外周縁に重なるように位置するとき、結合ガイド部１４２の両側、詳細には、第１ベルト１３２の端部と近く位置する一対の支持ガイド部１４３の側部で本体１１０と離れる方向に突設され、結合突出部１４４の先端部は、第２ベルト１３６の外周縁の方向に備えられる。
結合バックル１４６は、一対の結合突出部１４４の間にヒンジ結合され、第１ベルト１３２の外周縁に重なるように位置した第２ベルト１３６の外周縁を加圧するか、または加圧しないように回転する。前記結合バックル１４６は、下記図７を参照して説明する。
ヒンジ結合部１４５は、一対で構成され、第１ベルト１３２の外周縁と向かい合うように、それぞれの結合ガイド部１４２とそれぞれの結合突出部１４４との間、詳細には、それぞれの支持ガイド部１４３とそれぞれの結合突出部１４４との間に通孔状に形成される。
固定バックル１４８は、結合ガイド部１４２と離隔されるように位置し、結合ガイド部１４２と固定バックル１４８との間に第１ベルト１３２が挿入される。そして、固定バックル１４８は、その一端部が一対の前記ヒンジ結合部１４５の間にヒンジ結合され、その他端部が第１ベルト１３２と近くなる方向または第１ベルト１３２と離れる方向に回転し、このために、固定バックル１４８の一端部の両側には、ヒンジ結合部１４５に挿入されて軸結合されるように固定ヒンジ突起１４８ａが形成される。そして、固定バックル１４８の他端部が第１ベルト１３２の方向に回転するとき、固定バックル１４８の一端部には、第１ベルト１３２と垂直方向に固定加圧部１４９が突設され、固定加圧部１４９が第１ベルト１３２の外周縁を加圧するように構成される。このように、固定バックル１４８の固定加圧部１４９が第１ベルト１３２を加圧することで、結合ガイド部１４２が第１ベルト１３２に強固に固定される。一方、固定バックル１４８が第１ベルト１３２と離れる方向に回転すれば、固定バックル１４８の固定加圧部１４９は、第１ベルト１３２と水平方向に位置するので、固定加圧部１４９が第１ベルト１３２をそれ以上加圧しなくなり、結合ガイド部１４２は、第１ベルト１３２に沿って摺動可能となる。
このように、本発明は、結合部材１４０が第１ベルト１３２に沿って摺動するので、結合部材１４０を手首の正中神経と向かい合うように位置させることができ、これによって、結合部材１４０に備えられる治療電極部１５０が手首の正中神経に低周波を容易に伝達できるようになる効果がある。また、手首の正中神経と向かい合うように位置した結合部材１４０は、固定バックル１４８が第１ベルト１３２を加圧するように回転することで第１ベルト１３２に固定されるように構成され、これによって、結合部材１４０が手首の正中神経と向かい合うように位置した状態で強固に固定される効果がある。
図７は、本発明の好ましい実施例に係る低周波発生機能を有するウェアラブル装置の第２ベルトが第１ベルトに重なるように位置した状態を概略的に示した図であり、図８は、本発明の好ましい実施例に係る低周波発生機能を有するウェアラブル装置の結合バックルが第２ベルトを固定させた状態を断面で示した図である。
図７および図８を参照すると、固定バックル１４８が第１ベルト１３２を加圧して結合ガイド部１４２が第１ベルト１３２に固定された状態で、第２ベルト１３６が手首を包んだ後、第１ベルト１３２に重なるように位置する。このとき、第２ベルト１３６は、固定バックル１４８と後述の結合バックル１４６との間に挿入される。
結合バックル１４６は、固定バックル１４８と離隔されるように位置し、固定バックル１４８と結合バックル１４６との間に第２ベルト１３６が挿入される。そして、結合バックル１４６は、その一端部が一対の前記結合突出部１４４の間にヒンジ結合され、その他端部が第２ベルト１３６と近くなる方向または第２ベルト１３６と離れる方向に回転し、このために、結合バックル１４６の一端部の両側には、結合突出部１４４に形成されるヒンジ突起１４４ａに挿入されて軸結合されるように結合ヒンジホール１４６ａが形成される。そして、結合バックル１４６の他端部が第２ベルト１３６の方向に回転するとき、結合バックル１４６の一端部には、第２ベルト１３６と垂直方向に結合加圧部１４７が突設され、結合加圧部１４７が第２ベルト１３６の外周縁を加圧するように構成される。このように、結合バックル１４６の結合加圧部１４７が第２ベルト１３６を加圧することで、第２ベルト１３６が結合部材１４０に強固に固定される。一方、結合バックル１４６が第２ベルト１３６と離れる方向に回転すれば、結合バックル１４６の結合加圧部１４７は、第２ベルト１３６と水平方向に位置するので、結合加圧部１４７が第２ベルト１３６をそれ以上加圧しなくなり、第２ベルト１３６は、結合部材１４０から外部に脱去できるように構成される。
このように、本発明は、固定バックル１４８と結合バックル１４６との間に挿入される第２ベルト１３６を結合バックル１４６が強固に固定させることで、第１ベルト１３２と第２ベルト１３６が結合部材１４０に結合された状態で使用者の手首に強固に固定され、第１、第２ベルト１３２、１３６と連結された本体１１０もまた、手首に強固に固定される効果がある。
以下、添付の図面を参照して、本発明の好ましい実施例に係る低周波発生機能を有するウェアラブル装置を用いた健康管理システムについて説明する。
図９は、本発明の好ましい実施例に係る低周波発生機能を有するウェアラブル装置を用いた健康管理システムを概略的に示した図であり、図１０は、図９の低周波発生機能を有するウェアラブル装置を概略的に示したブロック図であり、図１１は、図９の低周波発生機能を有するウェアラブル装置に備えられる表示部を概略的に示した図である。
図９乃至図１１を参照すると、本発明の好ましい実施例に係る低周波発生機能を有するウェアラブル装置を用いた健康管理システムは、使用者の健康を管理したり、危険状況を保護者に迅速に報知するためのものであり、ウェアラブル装置１００、第１端末機２００および第２端末機３００を含む。
ウェアラブル装置１００は、使用者の健康を管理する一方、使用者の生体情報を外部に報知するように管理手段１２０を備えている。前記管理手段１２０は、本体１１０に備えられるものであり、低周波発生部１２１、測定部１２２、万歩計１２３、入力部１２４、出力部１２５、第１近距離通信部１２６および着用制御部１２７を含む。
低周波発生部１２１は、低周波を発生して治療電極部１５０に伝達する。測定部１２２は、脈拍測定部１２２ａと体温測定部１２２ｂがあり、脈拍測定部１２２ａは、使用者の脈動または脈波などの生体情報を測定して着用制御部１２７に伝達する。体温測定部１２２ｂは、使用者の体温を測定して着用制御部１２７に伝達する。低周波発生部１２１および測定部１２２は、既に上述した内容であるので、これについての詳細な説明は省略する。
万歩計１２３は、使用者の歩数を測定して使用者の運動量をチェックする一般的なものであり、本体１１０の内部に備えられ、加速度や振動など、外部から発生する衝撃をカウントして使用者の運動量を測定する。万歩計１２３が測定する運動量情報は、着用制御部１２７に伝達する。
入力部１２４は、低周波発生部１２１、測定部１２２または万歩計１２３を制御するのに必要な各種の制御信号、例えば、開始信号、終了信号、初期化信号、格納信号、設定信号などを使用者から入力を受けて着用制御部１２７に伝達し、着用制御部１２７は、このような制御信号の受信を受けて、低周波発生部１２１、測定部１２２または万歩計１２３を制御する。このような入力部１２４は、本体１１０の外側などにキーパッド形式で構成され得、出力部１２５にタッチパネルが取り付けられ、タッチスクリーン形式で構成されてもよい。
出力部１２５は、本体１１０の外側に備えられ、ＬＣＤ、ＯＬＥＤなどで構成され得る。このような出力部１２５は、着用制御部１２７の制御下に各種の文字、イメージ、数字などが表示され、例えば、時間が表示される第１表示部１２５ａ、万歩計１２３が測定する運動量情報が表示される第２表示部１２５ｂ、脈拍測定部１２２ａが測定する脈拍生体情報が表示される第３表示部１２５ｃおよび体温測定部１２２ｂが測定する体温生体情報が表示される第４表示部１２５ｄを含むことができる。また、出力部１２５は、音を外部に出力する本体スピーカー（図示しない）を含むこともできる。
第１近距離通信部１２６は、万歩計１２３が測定する運動量情報、脈拍測定部１２２ａが測定する脈拍生体情報、体温測定部１２２ｂが測定する体温生体情報などを、第１無線通信網４００を利用して使用者が持っている第１端末機２００に送信するように構成される。第１無線通信網４００は、近距離通信網であり、例えば、ブルートゥース（Ｂｌｕｅｔｏｏｔｈ）、赤外線通信（ＩｒＤＡ）、ＷＬＡＮ（Ｗｉｒｅｌｅｓｓ  ＬＡＮ）などで構成され得る。
着用制御部１２７は、入力部１２４、低周波発生部１２１、測定部１２２、万歩計１２３、出力部１２５および第１近距離通信部１２６を制御する。即ち、着用制御部１２７は、入力部１２４から低周波発生のための低周波制御信号が入力されると、着用制御部１２７は、低周波発生部１２１に低周波制御信号を伝達して、低周波発生部１２１が低周波を発生するように制御する。そして、着用制御部１２７は、入力部１２４から脈拍または体温または運動量測定のための測定制御信号が入力されると、着用制御部１２７は、脈拍測定部１２２ａまたは体温測定部１２２ｂまたは万歩計１２３が測定を遂行するようにし、脈拍測定部１２２ａが測定する脈拍生体情報または体温測定部１２２ｂが測定する体温生体情報または万歩計１２３が測定する運動量情報を出力部１２５に出力して表示するようにする。また、着用制御部１２７は、脈拍測定部１２２ａから受信される脈拍生体情報または体温測定部１２２ｂから受信される体温生体情報に対する安全範囲が格納されており、脈拍生体情報または体温生体情報が安全範囲を外れた場合、警告メッセージを生成する。そして、着用制御部１２７は、脈拍生体情報または体温生体情報を含む健康情報データを生成し、それを第１近距離通信部１２６に出力して、第１近距離通信部１２６が第１端末機２００に伝送するようにする。このとき、着用制御部１２７が警告メッセージを生成する場合、着用制御部１２７は、前記健康情報データに警告メッセージを含ませ、脈拍生体情報または体温生体情報と、警告メッセージを含む健康情報データが第１端末機２００に伝送されるように制御する。また、着用制御部１２７は、前記警告メッセージを前記本体スピーカーに伝送し、使用者または使用者の周辺の人が使用者の健康状態を容易に把握できるようにする。
一方、本発明の一実施例においては、着用制御部１２７が警告メッセージを生成するように構成されるが、本発明をこれに限定しないことは当然であり、場合によって、脈拍生体情報または体温生体情報が後述する第１制御部２３０または第２制御部３３０に伝達された状態で、第１制御部２３０または第２制御部３３０は、脈拍生体情報または体温生体情報が安全範囲を外れた場合、警告メッセージを生成することもできる。
図１２は、本発明の好ましい実施例に係る低周波発生機能を有するウェアラブル装置を用いた健康管理システムの第１端末機を概略的に示したブロック図であり、図１３は、本発明の好ましい実施例に係る低周波発生機能を有するウェアラブル装置を用いた健康管理システムの第２端末機を概略的に示したブロック図である。
図１２および図１３を参照すると、第１端末機２００は、使用者が持っている携帯用端末機であって、ＰＤＡ、携帯電話、スマートフォン等で構成され、第２近距離通信部２１０、第１遠距離通信部２２０および第１制御部２３０を含む。第２近距離通信部２１０は、第１無線通信網４００と連結され、低周波発生機能を有するウェアラブル装置１００の第１近距離通信部１２６と無線で接続される。第１遠距離通信部２２０は、第２無線通信網４１０と連結され、後述の第２端末機３００の第２遠距離通信部３１０と無線で接続される。第２無線通信網４１０は、遠距離無線通信網であり、ワイブロ網および移動通信網の少なくとも一つ以上を含むことができる。前記移動通信網は、２Ｇ（２  Ｇｅｎｅｒａｔｉｏｎ）網、３Ｇ網および４Ｇ（ＬＴＥ、Ｌｏｎｇ  Ｔｅｒｍ  Ｅｖｏｌｕｔｉｏｎ）網の少なくとも一つ以上を含む。第１制御部２３０は、第２近距離通信部２１０と連結され、第１近距離通信部１２６が第２近距離通信部２１０に伝達する脈拍生体情報または体温生体情報と、警告メッセージが含まれた健康情報データの受信を受ける。また、第１制御部２３０は、前記健康情報データが第１遠距離通信部２２０を通して第２端末機３００に伝送されるように制御する。
第２端末機３００は、使用者の保護者、医師などが管理する携帯用端末機であって、第１端末機２００と同様に、ＰＤＡ、携帯電話、スマートフォン等で構成され、第２遠距離通信部３１０、端末機出力部３２０および第２制御部３３０を含む。第２遠距離通信部３１０は、第２無線通信網４１０と連結され、第１端末機２００の第１遠距離通信部２２０と無線で接続される。端末機出力部３２０は、第２端末機３００に備えられるＬＣＤ、端末機スピーカー、振動部等で構成され得る。このような端末機出力部３２０は、各種の情報を外部にディスプレイするか、または音あるいは振動で出力するものであり、第２制御部３３０の制御下に各種の文字、イメージ、数字などが外部にディスプレイされるか、または音で出力されるか、または振動で出力され、例えば、前記健康情報データに含まれた脈拍生体情報の脈拍数値、体温生体情報の体温数値、警告メッセージなどが文字または数字でディスプレイされるか、または音で出力される。第２制御部３３０は、第２遠距離通信部３１０と連結され、第１遠距離通信部２２０が第２遠距離通信部３１０に伝達する脈拍生体情報または体温生体情報と、警告メッセージが含まれた健康情報データの受信を受け、前記健康情報データが端末機出力部３２０に出力されるように制御する。
図１４は、本発明の好ましい実施例に係る低周波発生機能を有するウェアラブル装置を用いた健康管理システムを説明するために概略的に示したフローチャートである。
図面を参照すると、低周波発生機能を有するウェアラブル装置１００の測定部１２２が使用者の脈拍または体温などの生体情報を測定し、測定された生体情報は、着用制御部１２７に伝達される（Ｓ１００）。着用制御部１２７は、測定部１２２から伝達される生体情報が安全範囲を外れたか否かを判断する（Ｓ１１０）。例えば、着用制御部１２７は、測定部１２２の脈拍測定部１２２ａから伝達される脈拍生体情報、即ち、心拍数が安全範囲である６０〜１００Ｂｐｍを外れるかを判断する。または、着用制御部１２７は、測定部１２２の体温測定部１２２ｂから伝達される体温生体情報、即ち、体温が安全範囲である３０〜４０℃を外れるかを判断する。前記Ｓ１１０ステップで、着用制御部１２７は、測定部１２２から伝達される生体情報が安全範囲を外れた場合、警告メッセージを生成する（Ｓ１２０）。前記警告メッセージは、使用者の保護者、または周辺の人達に使用者が危険に置かれたことを報知するものであり、「がん患者です」または「心臓病患者です」または「助けてください」などで構成され得る。その後、着用制御部１２７は、前記本体スピーカーに前記警告メッセージを出力し、使用者の周辺の人達に使用者が現在危険に置かれたことを報知するように制御することができる。その後、着用制御部１２７は、使用者の脈拍生体情報、体温生体情報および警告メッセージを含む健康情報データを生成し、それを第１近距離通信部１２６に伝達して、第１近距離通信部１２６が前記健康情報データを第１端末機２００の第２近距離通信部２１０に送信するように制御する。一方、前記Ｓ１１０ステップで、着用制御部１２７は、測定部１２２から伝達される生体情報が安全範囲を外れない場合、着用制御部１２７は、使用者の脈拍生体情報および体温生体情報を含む健康情報データを生成し、それを第１近距離通信部１２６に伝達して、第１近距離通信部１２６が前記健康情報データを第１端末機２００の第２近距離通信部２１０に送信するように制御する。
その後、第１端末機２００の第１制御部２３０は、第２近距離通信部２１０に健康情報データが受信されるか否かを判断する（Ｓ２００）。そして、第１制御部２３０は、健康情報データを第１遠距離通信部２２０に伝達して、第１遠距離通信部２２０が健康情報データを第２端末機３００の第２遠距離通信部３１０に送信するように制御する（Ｓ２１０）。
その後、第２端末機３００の第２制御部３３０は、第２遠距離通信部３１０に健康情報データが受信されるか否かを判断する（Ｓ３００）。そして、第２制御部３３０は、健康情報データが第２遠距離通信部３１０に受信されると、健康情報データに警告メッセージが含まれたか否かを判断する（Ｓ３１０）。前記Ｓ３１０ステップで、第２制御部３３０は、健康情報データに警告メッセージが含まれたら、健康情報データにある生体情報を端末機出力部３２０が出力するように制御し、次いで健康情報データにある警告メッセージを端末機出力部３２０が出力するように制御する。一方、前記Ｓ３１０ステップで、第２制御部３３０は、健康情報データに警告メッセージが含まれなかったら、健康情報データにある生体情報を端末機出力部３２０が出力するように制御する。
このように、本発明は、低周波発生機能を有するウェアラブル装置１００を通して低周波を手首の正中神経に伝達する機能はもちろん、使用者の生体信号を測定し、それを使用者または保護者に報知できるように構成されるので、使用者の健康状態を使用者または保護者が持続的にモニタリングできるようになり、使用者が危険な状態に置かれた場合、それを外部に迅速に報知できるようになる効果がある。
本発明は、前記実施例において詳細に説明されたが、本発明をこれに限定しないことは当然であり、本発明の技術思想の範囲内で様々な変形および修正が可能であることは、当業者にとって明らかなことであり、このような変形および修正が添付の特許請求の範囲の範疇に属するものであれば、その技術思想もまた本発明に属するものと見なすべきである。
【符号の説明】
【０００８】
１００：ウェアラブル装置
１１０：本体                        １２０：管理手段
１２１：低周波発生部                １２２：測定部
１２２ａ：脈拍測定部                １２２ｂ：体温測定部
１２３：万歩計                      １２４：入力部
１２５：出力部                      １２５ａ：第１表示部
１２５ｂ：第２表示部                １２５ｃ：第３表示部
１２５ｄ：第４表示部                １２６：第１近距離通信部
１２７：着用制御部                  １３０：ベルト部材
１３２：第１ベルト                  １３２ａ：第１開放部
１３２ｂ：第２開放部                １３４：摺接部
１３４ａ：第１摺動部                １３４ｂ：第２摺動部
１３６：第２ベルト                  １４０：結合部材
１４２：結合ガイド部                １４３：支持ガイド部
１４４：結合突出部                  １４４ａ：ヒンジ突起
１４５：ヒンジ結合部                １４６：結合バックル
１４６ａ：結合ヒンジホール          １４７：結合加圧部
１４８：固定バックル                １４８ａ：固定ヒンジ突起
１４９：固定加圧部                  １５０：治療電極部
１５２：第１電極部                  １５２ａ：第１電極
１５２ｂ：第１接触部                １５４：第２電極部
１５４ａ：第２電極                  １５４ｂ：第２接触部
２００：第１端末機
２１０：第２近距離通信部            ２２０：第１遠距離通信部
２３０：第１制御部
３００：第２端末機
３１０：第２遠距離通信部
３２０：端末機出力部                ３３０：第２制御部
４００：第１無線通信網              ４１０：第２無線通信網
【図１】
2018511453.tif 000002
【図２】
2018511453.tif 000003
【図３】
2018511453.tif 000004
【図４】
2018511453.tif 000005
【図５】
2018511453.tif 000006
【図６】
2018511453.tif 000007
【図７】
2018511453.tif 000008
【図８】
2018511453.tif 000009
【図９】
2018511453.tif 000010
【図１０】
2018511453.tif 000011
【図１１】
2018511453.tif 000012
【図１２】
2018511453.tif 000013
【図１３】
2018511453.tif 000014
【図１４】
2018511453.tif 000015
【国際調査報告】
2018511453.tif 000016
2018511453.tif 000017
2018511453.tif 000018
2018511453.tif 000019